(57)【要約】      （修正有）【課題】ブレスレット又はリストバンド、装飾品又は宝飾品等の組合せ体を、塑性変形を行わずに組み立てる構造体を提案する。【解決手段】それぞれ非貫通孔２、４を含む第１の部品３及び第２の部品５並びに貫通孔６を含む少なくとも１つの第３の部品７を有する組み立て構造体１に関し、組み立て構造体１は、少なくとも１つの第３の部品の貫通孔に設置されたピン１１を含む永久固定デバイス９を更に有し、ピン１１は第１の端部に、第１の部品３及び第２の部品５のうちの一方を非貫通孔においてロックする第１のロック手段８、並びに第１の部品３及び第２の部品５のうちの他方を非貫通孔においてロックする第２のロック手段１８を含む外周１７を有するソケット１３を有し、ソケット１３の内周１９はピン１１の第２の端部１２に溶接されている。【選択図】図１
2014226549.tif 000002
【特許請求の範囲】
【請求項１】
それぞれ非貫通孔（２、４）を含む第１の部品（３、３３）及び第２の部品（５、３５’）並びに貫通孔（６）を含む少なくとも１つの第３の部品（７、３５、３７’、３７）を有する組み立て構造体（１、３１）であって、
前記組み立て構造体（１、３１）は、前記少なくとも１つの第３の部品の前記貫通孔に設けたピン（１１、４１）を含む永久固定デバイス（９、３９）を更に含み、
前記ピンは、第１の端部（１４）に前記第１の部品（３、３３）及び前記第２の部品（５、３５’）のうちの一方をその前記非貫通孔においてロックする第１のロック手段（８）、並びに前記第１の部品（３、３３）及び前記第２の部品（５、３５’）のうちの他方をその前記非貫通孔においてロックする第２のロック手段（１８）を含む外周（１７）を有するソケット（１３、４３）を含み、
前記ソケット（１３、４３）の内周（１９）は、前記第１の部品（３、３３）及び前記第２の部品（５、３５’）と前記少なくとも１つの第３の部品（７、３５、３７’、３７）とを、前記第１の部品（３、３３）及び前記第２の部品（５、３５’）の塑性変形を用いずに互いに固定するために、前記ピン（１１、４１）の第２の端部（１２）に溶接されることを特徴とする、組み立て構造体（１、３１）。
【請求項２】
前記第１の部品（３、３３）、前記第２の部品（５、３５’）及び前記少なくとも１つの第３の部品（７、３５、３７’、３７）のいずれの相対的な枢動を防止するために、前記貫通孔（６）は、前記ピン（１１、４１）の断面に適合する非円形形状の断面を有することを特徴とする、請求項１に記載の組み立て構造体（１、３１）。
【請求項３】
前記第１の部品（３、３３）、前記第２の部品（５、３５’）及び前記少なくとも１つの第３の部品（７、３５、３７’、３７）の枢動を可能とするために、前記貫通孔（６）は、前記ピン（１１、４１）の断面に適合する円形形状の断面を有することを特徴とする、請求項１に記載の組み立て構造体（１、３１）。
【請求項４】
前記第１のロック手段（８）は、内側ねじ山（１５）−外側ねじ山（１６）タイプ又はバヨネットタイプデバイスによって形成されていることを特徴とする、請求項１〜３のいずれか１項に記載の組み立て構造体（１、３１）。
【請求項５】
前記第２のロック手段（１８）は、内側ねじ山（１５）−外側ねじ山（１６）タイプ又はバヨネットタイプデバイスによって形成されていることを特徴とする、請求項１〜４のいずれか１項に記載の組み立て構造体（１、３１）。
【請求項６】
前記少なくとも１つの第３の部品（７、３５、３７’、３７）は、前記貫通孔（６）を形成する複数の部品（３５、３７’、３７）を含むことを特徴とする、請求項１〜５のいずれか１項に記載の組み立て構造体（１、３１）。
【請求項７】
前記第１の部品（３、３３）及び前記第２の部品（５、３５’）の少なくとも一部分は、エナメル及び／又は石及び／又はセラミックで形成されていることを特徴とする、請求項１〜６のいずれか１項に記載の組み立て構造体（１、３１）。
【請求項８】
非永久固定デバイス（２３、２３’、５３、５３’）によって互いに接続された、請求項１〜７のいずれかによる少なくとも２つの組み立て構造体（１、３１）を含み、
前記非永久固定デバイス（２３、２３’、５３、５３’）は、前記少なくとも２つの組み立て構造体（１、３１）のうちの一方の前記少なくとも１つの第３の部品（７、３５、３７’、３７）の第２の貫通孔（２４、２４’）並びに少なくとも２つの組み立て構造体（１、３１）のうちの他方の第１の部品（３、３３）及び第２の部品（５、３５’）それぞれの第２の凹部（２７、２７’、２８、２８’）に、取り外し可能に設置されたピン（２２、２２’、５２、５２’）を有することを特徴とする、組合せ体（２１、５１）。
【請求項９】
前記組合せ体を実質的に分離不可能なものとするために、前記少なくとも２つの組み立て構造体（１、３１）のうちの前記他方の前記第１の部品（３、３３）及び前記第２の部品（５、３５’）それぞれの前記第２の凹部（２７、２８）のうちの少なくとも一方は、非貫通孔であることを特徴とする、請求項８に記載の組合せ体（２１、５１）。
【請求項１０】
前記組合せ体を着脱可能なものとするために、前記少なくとも２つの組み立て構造体（１、３１）のうちの前記他方の前記第１の部品（３、３３）及び前記第２の部品（５、３５’）それぞれの前記第２の凹部（２７’、２８’）のうちの少なくとも一方は、貫通孔であることを特徴とする、請求項８又は９に記載の組合せ体（２１、５１）。
【請求項１１】
ブレスレット又はリストバンド、装飾品又は宝飾品等を形成するために接続された少なくとも５つの前記組み立て構造体（１、３１）を含むことを特徴とする、請求項８〜１０のいずれか１項に記載の組合せ体（２１、５１）。
【発明の詳細な説明】
【技術分野】
【０００１】
本発明は、少なくとも３つの部品の組み立て構造体に関し、より具体的には、これら部品の一部分を塑性変形によらずに固定するものである。
【背景技術】
【０００２】
ピンを非貫通ドリル孔又は穿孔内に圧入して、例えば腕時計用ブレスレット又はリストバンド等、場合によっては互いにヒンジ留めされてもいる一体部品を形成することが知られている。しかしながら、部品の一部分がダイヤモンド又はセラミック等の硬質材料で形成されている場合、塑性変形に耐えられない部品を損傷することなく圧入を行うことは不可能である。
【０００３】
また、接着結合によってピンを非貫通ドリル孔又は穿孔内に固定して、一体部品を形成することも知られている。しかしながら、部品の一部分がダイヤモンド又はセラミック等の硬質材料で形成されている場合、固定を長期間にわたって保証することができないために接着結合もまた不十分となる。
【発明の概要】
【発明が解決しようとする課題】
【０００４】
本発明の目的は、硬質材料製の部品、及び複数の一体型かつ場合によってはヒンジ留めでもある組み立て構造体を含むブレスレット又はリストバンド、装飾品又は宝飾品等の組合せ体を、塑性変形を行わずに組み立てる構造体を提案することにより、上述の欠点の全て又は一部を克服することである。
【課題を解決するための手段】
【０００５】
従って本発明は、それぞれ非貫通孔を含む第１の部品及び第２の部品並びに貫通孔を含む少なくとも１つの第３の部品を含む組み立て構造体であって、上記組み立て構造体は、少なくとも１つの第３の部品の貫通孔に設置されたピンを含む永久固定デバイスを更に含み、このピンはその第１の端部に、第１の部品及び第２の部品のうちの一方をその非貫通孔においてロックする第１の手段、並びに第１の部品及び第２の部品のうちの他方をその非貫通孔においてロックする第２の手段を含む外壁を有するソケットを含み、上記ソケットの内壁は、第１の部品及び第２の部品と少なくとも１つの第３の部品とを、第１の部品及び第２の部品の塑性変形を用いずに互いに固定するために、ピンの第２の端部に溶接することを特徴とする、組み立て構造体に関する。
【０００６】
よって、いずれの圧入操作を用いることなく（即ち塑性変形を用いることなく）、又はいずれの接着結合を用いることなく、組み立て構造体の一部分を見えなくすることができ、反復衝撃及び／又は超音波浴での洗浄を受ける場合でさえ、組み立て構造体により機械的強度の優れた保証を提供できる。
【０００７】
本発明の他の有利な特徴によると：
−第１の部品、第２の部品及び少なくとも１つの第３の部品のいずれの相対的な枢動を防止するために、貫通孔は、ピンの断面に適合する非円形形状の断面を有し；
−第１の部品及び第２の部品に対する少なくとも１つの第３の部品の枢動を可能とするために、貫通孔は、ピンの断面に適合する円形形状の断面を有し；
−第１のロック手段及び／又は第２のロック手段は、内側ねじ山−外側ねじ山タイプ又はバヨネットタイプデバイスによって形成され；
−少なくとも１つの第３の部品は、貫通孔を形成する複数の部品を含み；
−第１の部品及び第２の部品の少なくとも一部分は、エナメル及び／又は石及び／又はセラミックで形成されている。
【０００８】
本発明は更に、非永久固定デバイスによって互いに接続された、上述の変形例のうちのいずれかによる少なくとも２つの組み立て構造体を含み、上記非永久固定デバイスは、上記少なくとも２つの組み立て構造体のうちの一方の少なくとも１つの第３の部品の第２の貫通孔並びに上記少なくとも２つの組み立て構造体のうちの他方の第１の部品及び第２の部品それぞれの第２の凹部に、取り外し可能に設置されたピンを含むことを特徴とする組合せ体に関する。
【０００９】
よって、互いに固定及び／又はヒンジ留めされた複数の組み立て構造体から組合せ体を製造でき、ここで各組み立て構造体は、互いに固定及び／又はヒンジ留めされた少なくとも３つの部品の組立体を形成できることが明らかである。
【００１０】
本発明の他の有利な特徴によると：
−組合せ体を実質的に分離不可能なものとするために、少なくとも２つの組み立て構造体のうち上記他方の第１の部品及び第２の部品それぞれの第２の凹部のうち少なくとも一方は、非貫通孔であり；
−組合せ体を着脱可能とするために、少なくとも２つの組み立て構造体のうちの上記他方の第１の部品及び第２の部品それぞれの第２の凹部のうちの少なくとも一方は、貫通孔であり；
−組合せ体は、ブレスレット又はリストバンド、装飾品又は宝飾品等を形成するよう接続された少なくとも５つの組み立て構造体を有する。
【００１１】
本発明の他の特徴及び利点は、添付した図面を参照して非限定的な例示として挙げる以下の説明から、より明らかになるであろう。
【図面の簡単な説明】
【００１２】
【図１】図１は、本発明による第１のタイプの組合せ体の断面図である。
【図２】図２は、本発明によるピンの部分図である。
【図３】図３は、本発明によるソケットの断面図である。
【図４】図４は、本発明による第２のタイプの組合せ体の一部を断面して示す平面図である。
【図５】図５は、図４の軸Ａ−Ａに沿った断面図である。
【図６】図６は、図４の組合せ体に使用される固定デバイスの図である。
【発明を実施するための形態】
【００１３】
本発明による用語「硬質材料（ｈａｒｄ  ｍａｔｅｒｉａｌ）」は、硬度が実質的に６００ＨＶ以上であり、応力下で破断前に塑性変形しないか殆ど塑性変形しない材料を指す。このような硬質材料は、特にリストバンド又はブレスレットの全体又は一部を作製するために使用される。非限定的な例として、以下のような材料を硬質材料として挙げることができる：エナメル；ルビー、サファイア若しくは石英等の貴金属若しくは卑金属；金属若しくは非金属の酸化物、炭化物若しくは窒化物；又は硬質金属。
【００１４】
有利には、図１に示す例では、本発明は、その全体又は一部を硬質材料で形成してもよい少なくとも３つの部品３、５、７を組み立てた構造体１に関する。よって、本発明による組み立て構造体１は、中央の第３の部品７に関して実質的に対称である第１の横方向部品３及び第２の横方向部品５を含む。なお、部品３、５、７は好ましくは互いに対して段差を有するよう配設される。
【００１５】
第１の部品３及び第２の部品５はそれぞれ非貫通孔２、４を含み、第３の部品７は貫通孔６を含む。なお、図１において、非貫通孔２、４及び貫通孔６は、第１の部品３、第２の部品５、第３の部品７を互いに対して固定するために整列されるように形成されている。
【００１６】
本発明によると有利には、組み立て構造体１は更に、第１の部品３、第２の部品５、第３の部品７を互いに対して分離不可能に固定するための、永久固定デバイス９を含む。
【００１７】
永久固定デバイス９は、好ましくは中央の第３の部品７の貫通孔６に設置されたピン１１を含む。ピン１１はその第１の端部に、第１の部品３及び第２の部品５のうち一方の部品３の非貫通孔２においてロックする第１のロック手段８を更に含む。図２からよりよく分かるように、ピン１１は３つの単一部品部分１０、１２、１４を有する。ピン１１の主部分１０は、他の２つの部分１０、１４に対して中間サイズの断面を有し、第３の部品７の貫通孔６に軸承されるように形成されている。この結果、許容可能な遊び又は貫通孔６及び主部分１０それぞれの形状に応じて、第１の横方向部品３及び第２の横方向部品５は、中央の第３の部品７に対して枢動できたりできなかったりする。
【００１８】
非限定的な例として、第１の部品３、第２の部品５、第３の部品７のいずれの相対的な枢動を防止するために、貫通孔６は、ピン１１の主部分１０の断面に適合する非円形形状の断面にすればよい。反対に、第１の部品３、第２の部品５に対する中央の第３の部品７の枢動を可能とするために、貫通孔６は、ピン１１の主部分１０の断面に適合する円形形状の断面にする。
【００１９】
ピン１１の部分１４は、上記第１のロック手段８が配設される上記第１の端部を形成する。図１〜３に示す例では、第１のロック手段８は、第１の部品３の非貫通孔２にある内側ねじ山１５によって、及び第１の端部上、即ちピン１１の部分１４上の外側ねじ山１６によって形成されている。最終的に、ピン１１の部分１２は、ピン１１の最小断面を有し、永久固定デバイス９のソケット１３に受承される。
【００２０】
ソケット１３はその外周１７上に、第１の部品３、第２の部品５のうちの他方５をその非貫通孔４においてロックする第２のロック手段１８を有する。図１〜３に示す例では、第２のロック手段１８は、第２の部品５の非貫通孔４に設けられた内側ねじ山２５によって、及びソケット１３の外周１７上のねじ山２６によって形成されている。本発明によると有利には、第１の部品３及び第２の部品５の塑性変形を用いることなく、第１の部品３、第２の部品５、第３の部品７を互いに対して固定するために、ソケット１３の内周１９は、ピン１１の第２の端部、即ち部分１２に溶接される。
【００２１】
よって、第１の横方向部品３、第２の横方向部品５だけではなく中央の第３の部品７の少なくとも一部分を、エナメル及び／又は石及び／又はセラミック等の硬質材料で、破断のリスク無しに形成できる。
【００２２】
組み立て構造体１を設けるための方法について以下に説明する。第１のステップでは、部品３、５、７を、例えば直後に形成するか又は後で機械加工する孔２、４、６を有するよう製造する。第２のステップでは、第２のロック手段１８を用いてソケット１３を非貫通孔４に設ける。第３のステップでは、第１のロック手段８を用いてピン１１を非貫通孔２に設ける。当然、第２のステップと第３のステップは逆であってもよい。
【００２３】
第４のステップでは、第１の横方向部品３から突出するピン１１の部分１０及び部分１２、即ち第２の端部を、中央の第３の部品７の第１の貫通孔６に挿入する。この第４のステップでは、第２のロック手段１８を用いて第２の横方向部品５にソケット１３も設ける。
【００２４】
第５のステップでは、中央の第３の部品７から突出するピンの第２の端部、即ち部分１２を、第２の横方向部品５に設けたソケット１３の内壁１９に対して圧入する。即ち、内周１９の最大断面Ｉ1は、部分１２の最大断面Ｉ2より小さい。
【００２５】
最後に、第６及び最終ステップでは、第２の端部、即ち部分１２を、ソケット１３の内壁１９に溶接する。この溶接は有利には非接触タイプであり、好ましくは電磁誘導加熱によるものである。この結果、ピン１１及びソケット１３は、好ましくは、例えば鋼鉄等の金属のような導電性材料で形成されることが理解できる。本発明によると有利には、第５のステップで実施される圧入は、第６のステップにおける溶接を容易にし、組み立て構造体１を過剰に長時間加熱することを回避できる。第６のステップ及び最終ステップが終わると、部品３、５、７は完全に一体となり、組み立て構造体１は、ソケット１３とピン１１との間の溶接を破壊するか、又は溶接のために使用したハンダを除去することによってしか分解できない。
【００２６】
当然、組み立て構造体１は単独で使用するようには設計されていない。実際には、本発明の最終的な目的は、互いに接続された複数の組み立て構造体による組合せ体を形成することにより、例えばブレスレット又はリストバンド、装飾品又は宝飾品を形成することである。
【００２７】
従って、本発明はまた、上述の変形例及び以下に説明する変形例のうちのいずれかによる少なくとも２つの組み立て構造体１、３１を含む組合せ体２１、５１にも関する。本発明によると有利には、少なくとも２つの組み立て構造体１、３１は、非永久固定デバイス２３、２３’、５３、５３’によって接続される。
【００２８】
図１に示す第１のタイプの組合せ体２１では、非永久固定デバイス２３、２３’は、上記少なくとも２つの組み立て構造体１のうちの一方の少なくとも１つの上記第３の部品７の第２の貫通孔２４、２４’に取り外し可能に設置されたピン２２、２２’を含んでいる。更に、ピン２２、２２’の各端部は、それぞれ上記少なくとも２つの組み立て構造体１のうちの他方の上記第１の部品３及び上記第２の部品６それぞれの第２の凹部２７、２８、２７’、２８’に設けられる。
【００２９】
従って、第１の貫通孔６に関して言うと、許容可能な遊び又はピン２２、２２’の貫通孔２４、２４’それぞれの形状に応じて、第１の組み立て構造体１の第１の横方向部品３及び第２の横方向部品５は、第２の組み立て構造体１の中央の第３の部品７に対して枢動できたりできなかったりする。
【００３０】
非限定的な例として、貫通孔２４、２４’は、接続された複数の組み立て構造体１間でのいずれの相対的な枢動を防止するために、ピン２２、２２’の断面と適合する非円形断面に形成してもよい。逆に、接続された複数の組み立て構造体１間での枢動を可能とするために、貫通孔２４、２４’が、ピン２２、２２’の断面に適合する円形形状の断面を有することも考えられる。
【００３１】
図１に示す非永久固定デバイス２３の第１の変形例では、上記少なくとも２つの組み立て構造体１のうち上記他方の、上記第１の部品３及び第２の部品５それぞれの第２の凹部２７、２８は、組合せ体を実質的に分離不可能とするために非貫通孔である。よって、組み立て構造体１を設置する第５のステップの前に、ピン２２をそれぞれ、別の組み立て構造体１の中央の第３の部品７の第２の貫通孔２４内へ、及び組み立て構造体１の第１の横方向部品３の第２の非貫通孔２７内へ摺動させることが明らかである。
【００３２】
その結果、第５のステップにおいて、ピン１１がソケット１３に圧入されるだけでなく、ピン２２が第２の非貫通孔２７、２８及び孔２４にロックされる。こうして、第６のステップ及び最終ステップにおいて、ピン１１をソケット１３にハンダ付けした後、ピン２２はもはや見えなくなっているか又はアクセス不可能となっている。第６のステップ及び最終ステップが終わると、２つの組み立て構造体１は完全に一体となっており、組合せ体２１は、ソケット１３とピン１１との間の溶接を破壊することによってしか分解できない。
【００３３】
図１に示す非永久固定デバイス２３’の第２の変形例では、上記少なくとも２つの組み立て構造体１のうち上記他方の、上記第１の部品３及び第２の部品５それぞれの第２の凹部２７’、２８’は、組合せ体を着脱可能とするために、貫通孔である。よって、組み立て構造体１を設置する第５のステップの前に、ピン２２’をそれぞれ、別の組み立て構造体１の中央の第３の部品７の第２の貫通孔２４’内へ、及び組み立て構造体１の第１の横方向部品３の第２の貫通凹部２７’内へ摺動させることは明らかである。
【００３４】
この結果、第５のステップにおいて、ピン１１がソケット１３に圧入され、ピン２２’が第２の貫通凹部２７’、２８’及び孔２４’にロックされる。こうして、第６のステップ及び最終ステップにおいて、ピン１１をソケット１３にハンダ付けした後、ピン２２’は視認できアクセス可能な状態のままである。第６のステップ及び最終ステップが終わると、２つの組み立て構造体１は完全に一体となっており、組合せ体２１は、第２の凹部２７’、２８’から、及び２つの組み立て構造体１のうちの一方の孔２４’から、ピン２２’を取り外すことによって分解できる。
【００３５】
本発明によると有利には、非永久固定デバイス２３’の第２の変形例によって、組み立て構造体１を１つずつ組み立てることができるようにもなる。実際に、３つの部品３、５、７の２つの組み立て構造体１を、永久固定デバイス９を用いて固定した後、ピン２２’を第２の凹部２７’、２８’及び孔２４’に設けることにより、各組み立て構造体１を他方に対して接続できる。
【００３６】
好ましくは、非永久固定デバイス２３’の第２の変形例のピン２２’は、第２の凹部２７’、２８’及び孔２４’のうちの少なくとも１つの中へと低い摩擦で摺動するように形成された少なくとも１つの隆起部２９’を用いて、第２の凹部２７’、２８’及び孔２４’内に保持される。
【００３７】
第２のタイプの組合せ体５１を図４〜６に示す。これらの図４〜６は、時計ケースの中央部分に設けるように組立てられたブレスレット又はリストバンドを形成するために、クラスプ６１によって互いに接続される、２つの組合せ体５１を示す。組合せ体５１の各組み立て構造体３１は、３つの部品ではなく５つの部品で形成されている点で第１の組み立て構造体１とは異なる。実際に、第１のタイプの組み立て構造体１の３つの部品３、５、７に対応する３つの部品３３、３７’、３７に加えて、第２のタイプの組み立て構造体３１は、別個の列、即ち追加の中央の第２の部品３７’及び中間部品３５を有する。しかしながら、上述のような製造及び操作は、この第２のタイプの組合せ体５１に関しても変わらないことを理解されたい。
【００３８】
従って、図６に示すように、上述の説明と同様に、組合せ体５１は、取り外し可能な非永久固定デバイス５３’（ピン５２’）及び／又は分離不可能な非永久固定デバイス５３（ピン５２’）と、永久固定デバイス３９（ハンダ付けによってソケット４３に固定されたピン４１）とを交互に有する。しかしながら、ピン４１は、主部より断面が小さい第２の端部を備えていないことに留意されたい。従って、ピン１１の主部分１０に対して部分１２の断面が狭くなっているのは、第１のタイプの組合せ体２１における単なるオプションであることは明らかである。このように狭くなった部分１２は、横方向部品３、５、３３、３５’の寸法をかなり低減すること（これは固定デバイス９の寸法の低減を必要とする）によってのみガイドされる。
【００３９】
当然、本発明は図示した例のみに限定されず、当業者に明らかとなる様々な変形及び改変が可能である。特に、第１のロック手段８及び第２のロック手段１８は、内側ねじ山１５、２５−外側ねじ山１６、２６タイプのデバイスとは異なる性質のものであってもよく、及び／又は互いに異なる性質のものであってよい。非限定的な例として、第１のロック手段及び／又は第２のロック手段は、第１の部品及び第２の部品の上記少なくとも１つ非貫通孔の間のバヨネットタイプのデバイスによって形成することもでき、ピン及びソケットは、内側−外側ねじ山タイプのデバイスのように、第１の部品及び第２の部品のための、耐久性が高く応力が低い固定を提供する。
【００４０】
更に、本発明の利点を失うことなく、各組み立て構造体に関する数、寸法及び幾何学的形状を異なるものとすることができる。
【００４１】
従って、上述のように、貫通孔６を形成するために、上記少なくとも１つの第３の部品７、３５、３７’、３７は複数の部品３５、３７’、３７を含んでいてもよい。よって、上記少なくとも１つの第３の部品は、各横方向部品３、５、３３、３５’の間に１〜数十個の部品を含んでいてもよいことは明らかである。代替として、上記少なくとも１つの第３の部品は、例えば部品３７、３５、３７’を形成する単一部品等の、より複雑な幾何学的形状の１つの部品しか含まなくてもよい。
【符号の説明】
【００４２】
１  組み立て構造体
２  非貫通孔
３  第１の部品、横方向部品
４  非貫通孔
５  第２の部品、横方向部品
６  貫通孔
７  第３の部品
８  第１の手段
９  永久固定デバイス
１０  ピン１１の主部分
１１  ピン
１２  ピン１１の部分
１３  ソケット
１４  ピン１１の部分
１５  内側ねじ山
１６  外側ねじ山
１７  外周 
１８  第２の手段
１９  内周
２１  組合せ体
２２  ピン
２２’  ピン
２３  非永久固定デバイス
２３’  非永久固定デバイス
２４  第２の貫通孔
２４’  第２の貫通孔
２５  内側ねじ山
２６  外側ねじ山
２７  第２の凹部
２７’   第２の凹部
２８  第２の凹部
２８’  第２の凹部
２９’  隆起部
３１  組み立て構造体
３３  第１の部品、横方向部品
３５  第３の部品、中間部分
３５’  第２の部品、横方向部品
３７  第３の部品
３７’  第３の部品、中央の第２の部品
３９  永久固定デバイス
４１  ピン
４３  ソケット
５１  組合せ体
５２’  ピン
５３  非永久固定デバイス
５３’   非永久固定デバイス
６１  クラスプ
【図１】
2014226549.tif 000003
【図２】
2014226549.tif 000004
【図３】
2014226549.tif 000005
【図４】
2014226549.tif 000006
【図５】
2014226549.tif 000007
【図６】
2014226549.tif 000008